(57)【要約】【課題】開封に際し、摘み部を引き上げる力を低減する。【解決手段】上端開口１１ａを有する有底筒状のカップ体１１と、カップ体の上端開口縁から径方向の外側に向けて突出したフランジ部１２と、フランジ部の上面に剥離可能に接着され、カップ体の上端開口を閉塞するシール材１３と、フランジ部に破断可能な弱化部１６を介して連結された摘み部１４と、を備え、シール材は、弱化部を跨いで摘み部の上面に一体に接着され、シール材には、上面視において、弱化部の両端のうちの少なくとも一方に位置する部分、若しくはその近傍から、フランジ部の上面に接着されている部分を跨いで、上端開口に面する部分に至る非貫通の破断容易部１９が形成されている。【選択図】図１
2020121801.tif 000002
【特許請求の範囲】
【請求項１】
上端開口を有する有底筒状のカップ体と、
このカップ体の上端開口縁から径方向の外側に向けて突出したフランジ部と、
前記フランジ部の上面に剥離可能に接着され、前記カップ体の上端開口を閉塞するシール材と、
前記フランジ部に破断可能な弱化部を介して連結された摘み部と、を備え、
前記シール材は、前記弱化部を跨いで前記摘み部の上面に一体に接着され、
前記シール材には、上面視において、前記弱化部の両端のうちの少なくとも一方に位置する部分、若しくはその近傍から、前記フランジ部の上面に接着されている部分を跨いで、前記上端開口に面する部分に至る非貫通の破断容易部が形成されている、カップ状容器。
【請求項２】
上面視において、前記弱化部は、前記フランジ部における、前記弱化部の延びる延在方向の中央部に対して前記延在方向に離れている、請求項１に記載のカップ状容器。
【請求項３】
上面視において、前記弱化部は直線状に延びるとともに、前記破断容易部は、前記弱化部に対して直交する方向に直線状に延びている、請求項１または２に記載のカップ状容器。
【請求項４】
上面視において、前記フランジ部の外周縁は円形状を呈するとともに、前記弱化部は、前記フランジ部の外周縁の接線に沿って直線状に延び、
上面視において、前記弱化部の両端のうちの前記一方は、前記フランジ部の外周縁、若しくはその近傍に位置している、請求項１から３のいずれか１項に記載のカップ状容器。
【請求項５】
上面視において、前記弱化部の両端のうちの他方、および前記シール材の外縁の一部は、前記フランジ部の外周縁に接し、かつ前記弱化部に直交する直線上に位置している、請求項１から４のいずれか１項に記載のカップ状容器。
【発明の詳細な説明】
【技術分野】
【０００１】
本発明は、カップ状容器に関するものである。
【背景技術】
【０００２】
従来から、例えば下記特許文献１に示されるように、上端開口を有する有底筒状のカップ体と、カップ体の上端開口縁から径方向の外側に向けて突出したフランジ部と、フランジ部の上面に剥離可能に接着され、カップ体の上端開口を閉塞するシール材と、フランジ部に破断可能な弱化部を介して連結された摘み部と、を備え、シール材が、弱化部を跨いで摘み部の上面に一体に接着されたカップ状容器が知られている。
カップ状容器を開封するには、まず、摘み部を、シール材のうち摘み部の上面に接着されている摘み部分とともに引き上げることにより、弱化部を折り曲げて破断し、その後さらに、摘み部をシール材の摘み部分とともに、径方向の内側に向けて引き上げ、シール材をフランジ部の上面から剥がすことによって、カップ体の上端開口を開放させる。
【先行技術文献】
【特許文献】
【０００３】
【特許文献１】特開平１１−２０８６９６号公報
【発明の概要】
【発明が解決しようとする課題】
【０００４】
しかしながら、従来のカップ状容器では、開封に際し、摘み部を引き上げる力を低減することに改善の余地があった。
【０００５】
本発明は、このような事情を考慮してなされたもので、開封に際し、摘み部を引き上げる力を低減することができるカップ状容器を提供することを目的とする。
【課題を解決するための手段】
【０００６】
上記課題を解決して、このような目的を達成するために、本発明のカップ状容器は、上端開口を有する有底筒状のカップ体と、このカップ体の上端開口縁から径方向の外側に向けて突出したフランジ部と、前記フランジ部の上面に剥離可能に接着され、前記カップ体の上端開口を閉塞するシール材と、前記フランジ部に破断可能な弱化部を介して連結された摘み部と、を備え、前記シール材は、前記弱化部を跨いで前記摘み部の上面に一体に接着され、前記シール材には、上面視において、前記弱化部の両端のうちの少なくとも一方に位置する部分、若しくはその近傍から、前記フランジ部の上面に接着されている部分を跨いで、前記上端開口に面する部分に至る非貫通の破断容易部が形成されている。
【０００７】
この発明によれば、シール材に破断容易部が形成されているので、摘み部を、シール材のうち摘み部の上面に接着されている摘み部分とともに、弱化部回りに引き上げて、弱化部を破断させた後、さらに摘み部をシール材の摘み部分とともに、上面視において、破断容易部の延びる方向に沿ってカップ体の内側に向けて移動させると、破断容易部が破断されながら、シール材がフランジ部の上面から剥がされることとなる。
したがって、開封に際し、フランジ部の上面に接着されたシール材のうち、破断容易部の近傍に位置する部分を、フランジ部の上面から容易に剥離することが可能になり、シール材をフランジ部の上面から剥離するのに要する、摘み部の引き上げ力を低減することができる。これにより、開封時にカップ体を強く保持する必要がなくなるため、開封時に内容物が飛び出すのを抑制することができる。
破断容易部の端部が、シール材において、弱化部の両端のうちの少なくとも一方に位置する部分、若しくはその近傍に位置すると、摘み部を弱化部回りに引き上げて、弱化部を破断させたときに、破断容易部の破断が開始する。
【０００８】
ここで、上面視において、前記弱化部は、前記フランジ部における、前記弱化部の延びる延在方向の中央部に対して前記延在方向に離れてもよい。
【０００９】
この場合、上面視において、弱化部が、フランジ部における前記延在方向の中央部に対して前記延在方向に離れているので、摘み部に対する弱化部回りの引き上げ力が破断容易部に伝わりやすくなり、破断容易部を確実に破断することができる。
【００１０】
また、上面視において、前記弱化部は直線状に延びるとともに、前記破断容易部は、前記弱化部に対して直交する方向に直線状に延びてもよい。
【００１１】
この場合、上面視において、弱化部が直線状に延びるとともに、破断容易部が、弱化部に対して直交する方向に直線状に延びているので、摘み部を弱化部回りに引き上げたときに、破断容易部を確実に破断することができるとともに、上面視において、摘み部を弱化部回りに引き上げる向きと、破断容易部が延びて破断される向きと、が一致することとなり、開封時の操作性を向上させることができる。
【００１２】
また、上面視において、前記フランジ部の外周縁は円形状を呈するとともに、前記弱化部は、前記フランジ部の外周縁の接線に沿って直線状に延び、上面視において、前記弱化部の両端のうちの前記一方は、前記フランジ部の外周縁、若しくはその近傍に位置してもよい。
【００１３】
この場合、上面視において、弱化部が、フランジ部の外周縁の接線に沿って直線状に延び、弱化部の両端のうちの前記一方が、フランジ部の外周縁、若しくはその近傍に位置しているので、摘み部を弱化部回りに引き上げたときに、破断容易部を確実に破断することができるとともに、フランジ部の上面からのシール材の剥離が開始するまでに要する摘み部の移動量を短く抑えることが可能になり、開封時の操作性を確実に向上させることができる。
弱化部の両端のうちの前記一方が、フランジ部の外周縁、若しくはその近傍に位置すると、摘み部を弱化部回りに引き上げて、弱化部を破断させたときに、シール材の、フランジ部の上面からの剥離が開始する。
【００１４】
また、上面視において、前記弱化部の両端のうちの他方、および前記シール材の外縁の一部は、前記フランジ部の外周縁に接し、かつ前記弱化部に直交する直線上に位置してもよい。
【００１５】
この場合、上面視において、弱化部の両端のうちの他方、およびシール材の外縁の一部が、フランジ部の外周縁に接し、かつ弱化部に直交する直線上に位置していて、破断容易部が、弱化部の両端のうちの前記一方のみから延び、前記他方からは延びていないので、不意の外力で開封されやすくなるのを抑制することができるとともに、上面視形状の見栄えの悪化を抑えることができる。
【発明の効果】
【００１６】
本発明によれば、開封に際し、摘み部を引き上げる力を低減することができる。
【図面の簡単な説明】
【００１７】
【図１】本発明に係る第１実施形態として示したカップ状容器の上面図である。
【図２】図１に示すカップ状容器を開封した状態の縦断面図である。
【図３】本発明に係る第２実施形態として示したカップ状容器の上面図である。
【発明を実施するための形態】
【００１８】
以下、図面を参照し、本発明の第１実施形態に係るカップ状容器１について説明する。
カップ状容器１は、図１および図２に示されるように、カップ体１１、フランジ部１２、シール材１３、および摘み部１４を備えている。カップ体１１、フランジ部１２、および摘み部１４は、例えばシート成形、若しくは射出成形などにより一体に形成されている。
カップ状容器１としては、例えばカップ体１１にコーヒー用ミルクなどが充填されて用いられる、いわゆるポーションカップなどが挙げられる。カップ状容器１としては、例えばカップ体１１にヨーグルト、プリン、ゼリーなどが充填されて用いられる、いわゆるカップ容器などが挙げられる。カップ状容器１を、調味料を個包装するのに用いてもよい。
【００１９】
カップ体１１は、上端開口１１ａを有する有底筒状に形成されている。カップ体１１は、上下方向から見て円形状を呈する。なお、カップ体１１は、上下方向から見て、例えば矩形状を呈する構成にするなど適宜変更してもよい。
以下、上下方向に延びるカップ体１１の中心軸をカップ軸Ｏといい、上下方向から見て、カップ軸Ｏに交差する方向を径方向といい、カップ軸Ｏ回りに周回する方向を周方向という。
【００２０】
フランジ部１２は、カップ体１１の上端開口縁から径方向の外側に向けて突出している。フランジ部１２は、カップ体１１に全周にわたって連続して配設されている。フランジ部１２の外周縁は、上面視でカップ軸Ｏと同軸に配設された円形状を呈する。
フランジ部１２に、径方向の外側に向けて突出し、上下方向から見て三角形状を呈する連結片１５が設けられている。上下方向から見て三角形状を呈する連結片１５を構成する３つの辺部分のうち、第１辺部分１５ａは、フランジ部１２の外周縁の一部と一致し、第２辺部分１５ｂおよび第３辺部分１５ｃは、フランジ部１２の外周縁の接線を各別になすとともに、互いに直交している。連結片１５の上面は、フランジ部１２の上面に段差なく連なっている。連結片１５は、フランジ部１２と一体に形成されている。
【００２１】
摘み部１４は、フランジ部１２に破断可能な弱化部１６を介して連結されている。
図示の例では、摘み部１４は、弱化部１６および連結片１５を介してフランジ部１２に連結されている。摘み部１４は、連結片１５およびフランジ部１２と一体に形成されている。摘み部１４は、連結片１５のうちの前記第２辺部分１５ｂに接続されている。つまり、弱化部１６は、連結片１５のうちの前記第２辺部分１５ｂにその全長にわたって形成され、フランジ部１２の外周縁の接線に沿って直線状に延びている。上面視において、弱化部１６の両端のうちの一方は、フランジ部１２の外周縁、若しくはその近傍に位置し、他方は、フランジ部１２の外周縁から離れている。図示の例では、弱化部１６の両端のうちの前記一方は、フランジ部１２の外周縁に対して径方向の外側にわずかにずれて位置している。
【００２２】
上面視において、摘み部１４は、フランジ部１２の外周縁の一部を径方向の外側から囲うように、連結片１５のうちの前記第２辺部分１５ｂから周方向に傾いて突出した矩形状を呈する。摘み部１４、連結片１５、およびフランジ部１２の各上面の、上下方向の位置は互いに同等になっている。
【００２３】
摘み部１４の先端部に、周方向に開口した切欠き部２１が形成されている。切欠き部２１の内面のうちの互いに対向する各部分に、係止突起２１ａが形成されている。各係止突起２１ａの表面は、上面視で突曲線状を呈する。各係止突起２１ａは、互いに対向している。各係止突起２１ａ同士の間の隙間は、フランジ部１２の厚さ以下となっている。
【００２４】
シール材１３は、フランジ部１２の上面に剥離可能に接着され、カップ体１１の上端開口１１ａを閉塞している。シール材１３は、フランジ部１２および連結片１５の各上面に一体に剥離可能に接着されている。シール材１３は、弱化部１６を跨いで摘み部１４の上面にも接着されている。
【００２５】
フランジ部１２の上面と、シール材１３と、を接着する接着層のうち、フランジ部１２の上面における内周部分と、シール材１３と、を接着する部分は、他よりも接着強度が高い第１強接着層１７となっている。第１強接着層１７は、全周にわたって連続して延びている。
摘み部１４の上面と、シール材１３と、を接着する接着層のうち、摘み部１４における弱化部１６との接続部分と、シール材１３と、を接着する部分は、他よりも接着強度が高い第２強接着層１８となっている。
第１強接着層１７、および第２強接着層１８それぞれの接着強度は、互いに同等になっている。なお、第１強接着層１７、および第２強接着層１８それぞれの接着強度を、互いに異ならせてもよい。
【００２６】
そして、本実施形態では、シール材１３に、上面視において、弱化部１６の両端のうちの少なくとも一方に位置する部分、若しくはその近傍から、フランジ部１２の上面に接着されている部分を跨いで、上端開口１１ａに面する部分に至る非貫通の破断容易部１９が形成されている。破断容易部１９は、上面視で第１強接着部１７と交差している。
【００２７】
破断容易部１９は、上面視において、弱化部１６の両端のうち、フランジ部１２の外周縁、若しくはその近傍に位置する一方からカップ体１１の内側に向けて延びている。上面視において、破断容易部１９と弱化部１６との接続部分は、フランジ部１２の外周縁、若しくはその近傍に位置している。図示の例では、破断容易部１９と弱化部１６との接続部分は、フランジ部１２の外周縁に対して径方向の外側にわずかにずれて位置している。
【００２８】
上面視において、破断容易部１９の両端部のうち、弱化部１６の反対側に位置する内端部１９ａは、シール材１３のうち、カップ体１１の上端開口１１ａに面する部分に位置している。破断容易部１９のうち、内端部１９ａを除く部分は、上面視において、弱化部１６に対して直交する方向に直線状に延びている。破断容易部１９のうち、内端部１９ａを除く部分は、上面視において、連結片１５のうちの前記第３辺部分１５ｃとほぼ平行になっている。破断容易部１９の内端部１９ａは、上面視において、破断容易部１９が延びる方向に沿って、カップ体１１の上端開口１１ａにおける中央部よりも弱化部１６の反対側に位置している。破断容易部１９の内端部１９ａは、上面視でカップ軸Ｏを中心とする円弧状を呈するように湾曲している。
【００２９】
上面視において、弱化部１６の両端のうち、フランジ部１２の外周縁から離れて破断容易部１９が接続されていない他方、およびシール材１３の外縁の一部は、フランジ部１２の外周縁に接し、かつ弱化部１６に直交して、連結片１５のうちの前記第３辺部分１５ｃを含む直線上に位置している。図示の例では、上面視において、弱化部１６の両端のうちの前記他方は、フランジ部１２の外周縁の接線をなし、かつ弱化部１６に直交した、連結片１５のうちの前記第３辺部分１５ｃに接続されている。
【００３０】
上面視において、弱化部１６は、フランジ部１２における、弱化部１６の延びる方向（以下、延在方向という）の中央部に対して前記延在方向に離れている。上面視において、弱化部１６の両端のうちの前記一方と、フランジ部１２における前記延在方向の中央部と、の前記延在方向の距離は、弱化部１６の長さより短くなっている。
なお、前記距離を、弱化部１６の長さ以上としてもよい。
【００３１】
次に、カップ状容器１を開封する方法について説明する。
【００３２】
まず、摘み部１４を、シール材１３のうち摘み部１４の上面に接着されている摘み部分とともに引き上げると、弱化部１６が破断される。この際、上面視において、破断容易部１９と弱化部１６との接続部分が、フランジ部１２の外周縁、若しくはその近傍に位置しているので、破断容易部１９の破断、およびシール材１３の、フランジ部１２の上面からの剥離が開始する。
【００３３】
その後、摘み部１４を、上面視において、破断容易部１９の延びる方向に沿ってカップ体１１の内側に向けて移動させることにより、破断容易部１９を、湾曲した内端部１９ａを含む全長にわたって破断するとともに、フランジ部１２の上面に接着されているシール材１３のうち、上面視で、破断容易部１９と、連結片１５のうちの前記第３辺部分１５ｃと、の間に位置する部分を、フランジ部１２の上面から剥がす。これにより、カップ体１１の上端開口１１ａが開放され、カップ状容器１が開封される。
ここで、摘み部１４を、上面視において、破断容易部１９の延びる方向に沿ってカップ体１１の内側に向けて移動する過程において、第１強接着部１７は、まず、上面視で破断容易部１９と交差している一部分が、フランジ部１２の上面から剥がされ、その後、この部分から周方向の両方向のうちの連結片１５側の一方向のみに沿って順次、フランジ部１２の上面から剥がされることとなる。
【００３４】
そして、図２に示されるように、シール材１３のうち、破断容易部１９と、連結片１５のうちの前記第３辺部分１５ｃと、の間に位置していた部分を、下面が上方を向き、かつ上面が下方を向くように捲った状態で、摘み部１４の切欠き部２１にフランジ部１２を差し込み、各係止突起２１ａによりフランジ部１２の上面および下面を上下方向に挟み込む。これにより、カップ体１１の上端開口１１ａが開放された状態に保たれる。
【００３５】
以上説明したように、本実施形態によるカップ状容器１によれば、シール材１３に破断容易部１９が形成されているので、摘み部１４を、シール材１３の摘み部分とともに、弱化部１６回りに引き上げて、弱化部１６を破断させた後、さらに摘み部１４をシール材１３の摘み部分とともに、上面視において、破断容易部１９の延びる方向に沿ってカップ体１１の内側に向けて移動させると、破断容易部１９が破断されながら、シール材１３がフランジ部１２の上面から剥がされることとなる。
【００３６】
したがって、開封に際し、フランジ部１２の上面に接着されたシール材１３のうち、破断容易部１９の近傍に位置する部分を、フランジ部１２の上面から容易に剥離することが可能になり、シール材１３をフランジ部１２の上面から剥離するのに要する、摘み部１４の引き上げ力を低減することができる。これにより、開封時にカップ体１１を強く保持する必要がなくなるため、開封時に内容物が飛び出すのを抑制することができる。
【００３７】
上面視において、弱化部１６が、フランジ部１２における前記延在方向の中央部に対して前記延在方向に離れているので、摘み部１４に対する弱化部１６回りの引き上げ力が破断容易部１９に伝わりやすくなり、破断容易部１９を確実に破断することができる。
【００３８】
上面視において、弱化部１６が直線状に延びるとともに、破断容易部１９が、弱化部１６に対して直交する方向に直線状に延びているので、摘み部１４を弱化部１６回りに引き上げたときに、破断容易部１９を確実に破断することができるとともに、上面視において、摘み部１４を弱化部１６回りに引き上げる向きと、破断容易部１９が延びて破断される向きと、が一致することとなり、開封時の操作性を向上させることができる。
【００３９】
上面視において、弱化部１６が、フランジ部１２の外周縁の接線に沿って直線状に延び、弱化部１６の両端のうちの前記一方が、フランジ部１２の外周縁、若しくはその近傍に位置しているので、摘み部１４を弱化部１６回りに引き上げたときに、破断容易部１９を確実に破断することができるとともに、フランジ部１２の上面からのシール材１３の剥離が開始するまでに要する摘み部１４の移動量を短く抑えることが可能になり、開封時の操作性を確実に向上させることができる。
【００４０】
上面視において、弱化部１６の両端のうちの他方、およびシール材１３の外縁の一部が、フランジ部１２の外周縁に接し、かつ弱化部１６に直交する直線上に位置していて、破断容易部１９が、弱化部１６の両端のうちの前記一方のみから延び、前記他方からは延びていないので、不意の外力で開封されやすくなるのを抑制することができるとともに、上面視形状の見栄えの悪化を抑えることができる。
【００４１】
次に、本発明の第２実施形態に係るカップ状容器２を、図３を参照しながら説明する。
なお、この第２実施形態においては、第１実施形態における構成要素と同一の部分については同一の符号を付し、その説明を省略し、異なる点についてのみ説明する。
【００４２】
本実施形態では、破断容易部２２が、上面視において、弱化部１６の両端のうちの前記一方の近傍から、カップ体１１の上端開口１１ａを跨いで、前記延在方向に直交する方向におけるカップ体１１およびフランジ部１２の全長にわたって延びている。すなわち、破断容易部２２が、上面視において、フランジ部１２の外周縁上の２点を結ぶ弦をなしている。破断容易部２２は、弱化部１６に対して前記延在方向にわずかに離れている。
摘み部２３は、切欠き部２１および係止突起２１ａを有していない。
【００４３】
このカップ状容器２では、摘み部２３を弱化部１６回りに引き上げて、弱化部１６を破断させたときに、破断容易部２２の破断、およびシール材１３の、フランジ部１２の上面からの剥離が開始する。その後、摘み部２３を前記実施形態と同様に操作して、破断容易部２２を全長にわたって破断すると、フランジ部１２の上面に接着されているシール材１３のうち、破断容易部２２に対して前記延在方向に沿うカップ軸Ｏの反対側（連結片１５側）に位置する部分の全体が、フランジ部１２の上面から剥がされる。これにより、シール材１３のうち、破断容易部２２に対して前記延在方向に沿うカップ軸Ｏの反対側に位置する部分の全体が、摘み部２３とともにカップ状容器２から分離される。
本実施形態においても、前記実施形態と同様の作用効果を奏する。
【００４４】
本発明は上記した実施の形態に限定されるものではなく、その趣旨を逸脱しない範囲で適宜変更可能である。
【００４５】
破断容易部１９、２２は、上面視において、弱化部１６の両端、若しくはそれぞれの近傍から各別に、カップ体１１の上端開口１１ａに至るように延びていてもよい。
弱化部１６、およびフランジ部１２における前記延在方向の中央部それぞれの前記延在方向の位置を互いに同等にしてもよい。
弱化部１６、および破断容易部１９、２２は、例えば上面視で、湾曲して延びていてもよいし、互いに直交する向き以外の向きに延びていてもよい。
【００４６】
上面視において、弱化部１６は、フランジ部１２の外周縁の接線に対して傾斜する向きに延びてもよいし、フランジ部１２の外周縁は、例えば角形状、若しくは楕円形状などを呈してもよいし、弱化部１６の両端のうちの前記一方は、フランジ部１２の外周縁から離れていてもよい。
上面視において、弱化部１６の両端のうち、破断容易部１９、２２が接続されていない他方を、フランジ部１２の外周縁に接し、かつ弱化部１６に直交する直線から離れて位置させてもよい。
【００４７】
シール材１３をフランジ部１２の上面の全体から剥がし、カップ体１１の上端開口１１ａの全体を開放してもよい。
カップ体１１を変形可能に形成し、開封後に、カップ体１１を押圧して変形させながら、カップ体１１内の内容物を、カップ体１１の上端開口１１ａから取り出してもよい。
フランジ部１２の上面と、シール材１３と、を接着する接着層は、カップ体１１内を密封できれば、フランジ部１２の上面の全域にわたって設けられなくてもよい。
【００４８】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４９】
１、２  カップ状容器
１１  カップ体
１１ａ  上端開口
１２  フランジ部
１３  シール材
１４、２３  摘み部
１６  弱化部
１９、２２  破断容易部
【図１】
2020121801.tif 000003
【図２】
2020121801.tif 000004
【図３】
2020121801.tif 000005